(57)【要約】【課題】腰掛便器と男性用小便器を一体化し、且つ使用しない腰掛便器または男性用小便器を目立たないように隠すことができる便器を提供する。【解決手段】貯水タンクの前後にそれぞれ腰掛便器と男性用小便器が設けられていて、且つ前記腰掛便器と前記男性用小便器の位置を交換させるための回転手段を有していることを特徴とする便器を提供する。【選択図】図２
2008196300.tif 000002
【特許請求の範囲】
【請求項１】
貯水タンクの前後にそれぞれ腰掛便器と男性用小便器が設けられていて、且つ前記腰掛便器と前記男性用小便器の位置を交換させるための回転手段を有していることを特徴とする便器。
【請求項２】
床等と一体に固定配置されている設置座と、
前記腰掛便器と前記男性用小便器と前記貯水タンクが取り付けられ、前記設置座上に回転可能になっている可動ベースと、
管状に形成されていて水平面と直交するように前記設置座に固定配置され、そしてその一端が前記可動ベースに挿入されている回転軸と、
前記腰掛便器と前記男性用小便器両方と連通すると共に、前記回転軸の管内を経由して外部と連通する排出パイプと、を更に有し、
前記回転手段は、前記回転軸を軸心として、前記可動ベースを回転させることによって、前記腰掛便器と前記男性用小便器の位置を交換させることを特徴とする請求項１に記載の便器。
【請求項３】
前記回転手段は、前記回転軸の外周面から張り出して形成される固定歯車と、前記固定歯車と噛み合うと共に、前記可動ベースに固定されている駆動手段により回転駆動される駆動歯車とを用いて、前記駆動歯車と前記駆動手段とともに、前記可動ベースを回転させることを特徴とする請求項２に記載の便器。
【請求項４】
前記回転手段は、前記回転軸の外側に同心円状に、前記可動ベースに固定配置されている内歯歯車と、前記内歯歯車の内歯と噛み合うと共に、前記設置座に固定されている駆動手段により回転駆動される駆動歯車とを用いて、前記内歯歯車と前記可動ベースを回転させることを特徴とする請求項２に記載の便器。
【請求項５】
前記駆動手段のＯＮ／ＯＦＦ及び回転方向を制御する制御手段を更に有していることを特徴とする請求項３または４に記載の便器。
【請求項６】
前記制御手段には、前記可動ベースが所定の位置に到達したことを検知すると、前記駆動手段の回転を止めるよう、停止信号を出力するセンサーを有していることを特徴とする請求項５に記載の便器。
【請求項７】
前記センサーは２つあって、前記設置座上に、それぞれ前記腰掛便器と前記男性用小便器の所期の定位置に対応して前記回転軸をそれらの間に挟むように前記回転軸の任意の両側に配置固定され、前記腰掛便器と前記男性用小便器の位置が所期の定位置に入れ替わったことを検知すると、前記駆動手段の回転を止めるよう、停止信号を出力するように構成されていることを特徴とする請求項６に記載の便器。
【請求項８】
前記センサーが前記駆動手段により回転駆動されて前記固定歯車の外周面または前記内歯歯車の内歯と噛み合って回る前記駆動歯車の移動により作動されるスイッチであることを特徴とする請求項６に記載の便器。
【請求項９】
前記固定歯車の外周面のほぼ半分に前記駆動歯車と噛み合う歯が形成されていて、その他は歯が形成されていないセクタ歯車であることを特徴とする請求項３に記載の便器。
【請求項１０】
前記回転軸の前記可動ベースに挿入する一端部の外周面と前記可動ベースの間に、ボールベアリングが介設されていることを特徴とする請求項２に記載の便器。
【請求項１１】
前記制御手段には、前記腰掛便器と前記男性用小便器の位置入れ替えを命令する少なくとも１つのボタンを更に有していることを特徴とする請求項５に記載の便器。
【請求項１２】
前記貯水タンクは、タンク内の水を前記男性用小便器に注ぐための注水孔と、該注水孔の開閉を制御するバルブと、該バルブを操作するリンク機構とを有していることを特徴とする請求項１に記載の便器。
【発明の詳細な説明】
【技術分野】
【０００１】
本発明は、便器に関し、特に、腰掛便器と男性用小便器を一体化した便器に関する。
【背景技術】
【０００２】
従来の腰掛便器は男女共用のものであり、男性用小便器を併設する必要がないとされてきた。しかし、男性が腰掛便器によって小便をする際、尿が便器外や便座に飛散することが避けられず、不衛生と悪臭の原因となる。従って、例えば図１１に示す米国特許第５３４５６１９号公報では、貯水タンクの隣りに男性用小便器を可動に枢設した便器を提案した。しかし、該男性用小便器は貯水タンクに対して可動になっているものの、貯水タンクの隣りに露出している様子の見掛けはよくない。
【発明の開示】
【発明が解決しようとする課題】
【０００３】
上述問題点に鑑みて、本発明は腰掛便器と男性用小便器を一体化し、且つ使用しない腰掛便器または男性用小便器を目立たないように隠すことができる便器を提供することを目的とする。
【課題を解決するための手段】
【０００４】
上記目的を達成するために、本発明は貯水タンクの前後にそれぞれ腰掛便器と男性用小便器が設けられていて、且つ前記腰掛便器と前記男性用小便器の位置を交換させるための回転手段を有することを特徴とする便器を提供する。
【０００５】
本発明の便器は、床などと一体に固定配置されている設置座と、前記腰掛便器と前記男性用小便器と前記貯水タンクが取り付けられ、前記設置座上に回転可能になっている可動ベースと、管状に形成されていて水平面と直交するように前記設置座に固定配置され、そしてその一端が前記可動ベースに挿入されている回転軸と、前記腰掛便器と前記男性用小便器両方と連通すると共に、前記回転軸の管内を経由して外部と連通する排出パイプと、を更に有し、前記回転手段は、前記回転軸を軸心として、前記可動ベースを回転させることによって、前記腰掛便器と前記男性用小便器の位置を交換させることができるように構成することが好ましい。
【０００６】
更に、本発明の便器において、前記回転手段は、前記回転軸の外周面から張り出して形成される固定歯車と、前記固定歯車と噛み合うと共に、前記可動ベースに固定されている駆動手段により回転駆動される駆動歯車とを用いて、前記可動ベースを前記駆動歯車と前記駆動手段ごと回転させるように構成することができる。
【０００７】
また、本発明の便器において、前記回転手段のもう一つの構成例として、前記回転軸の外側に同心円状に、前記可動ベースに固定配置されている内歯歯車と、前記内歯歯車の内歯と噛み合うと共に、前記設置座に固定されている駆動手段により回転駆動される駆動歯車とを用いて、前記内歯歯車と前記可動ベースを回転させるように構成することもできる。
【０００８】
更に、本発明の便器は、前記駆動手段のＯＮ／ＯＦＦ及び回転方向を制御する制御手段を更に有していることが好ましい。
【０００９】
更に、本発明の便器における前記制御手段には、前記可動ベースが所定の位置に到達したことを検知すると、前記駆動手段の回転を止めるよう、停止信号を出力するセンサーを有していることが好ましい。
【００１０】
更に、本発明の便器において、前記センサーは２つあって、前記設置座上に、それぞれ前記腰掛便器と前記男性用小便器の所期の定位置に対応して前記回転軸をそれらの間に挟むように前記回転軸の任意の両側に配置固定され、前記腰掛便器と前記男性用小便器の位置が所期の定位置に入れ替わったことを検知すると、前記駆動手段の回転を止めるよう、停止信号を出力するように構成されていることが好ましい。
【００１１】
更に、本発明の便器において、前記センサーとして、前記駆動手段により回転されて前記固定歯車または前記内歯歯車の内歯と噛み合って回る前記駆動歯車の移動により作動されるスイッチを設けることが好ましい。
【００１２】
また、前記固定歯車を用いる本発明の便器において、前記固定歯車は、外周面のほぼ半分に前記駆動歯車と噛み合う歯が形成されていて、その他は歯が形成されないセクタ歯車で構成することができる。
【００１３】
更に、本発明の便器において、前記回転軸の前記可動ベースに挿入する一端部の外周面と前記可動ベースの間に、ボールベアリングを介設することが好ましい。
【００１４】
また、前記制御手段には、前記腰掛便器と前記男性用小便器の位置入れ替えを命令する少なくとも１つのボタンを更に有していることが好ましい。
【００１５】
更に、本発明の便器において、前記貯水タンクは、タンク内の水を前記男性用小便器に注ぐための注水孔と、該注水孔の開閉を制御するバルブと、該バルブを操作するリンク機構とを有していることが好ましい。
【発明の効果】
【００１６】
上記構成によれば、本発明は回転手段によって腰掛便器と男性用小便器を使用しやすい位置に移動する便器を提供することができる。
【００１７】
そして、使用しない腰掛便器または男性用小便器を壁の中などに隠し、使用したいときだけ回転手段を利用して使用しやすい位置に移動するように構成すれば、よりすっきりした便器及びトイレを提供することができる。
【発明を実施するための最良の形態】
【００１８】
以下は、図面を参照しながら、本発明の便器の好ましい実施形態について詳しく説明する。
【００１９】
まず、図１は本発明の第１の実施形態の外観を示す斜視図で、図２はその内部構成を示す透視図である。
【００２０】
図１に示すように、この第１の実施形態の便器は、例えば床などに固定配置されている設置座４０の上に回転可能になっている可動ベース４１と、可動ベース４１の上方に設置された貯水タンク３と、貯水タンク３の前後にそれぞれ取り付けられる腰掛便器２と男性用小便器１とを備えている。
【００２１】
更に、図２に示すように、設置座４０にはその上面と直交するように貫通して形成された貫通孔４１１が設けられており、そして、可動ベース４１の、腰掛便器２の下方当りに貫通孔４１１の位置に対応して凹陥するように形成された回転軸受入座４４と、管状に形成されていて貫通孔４１１を挿通して設置座４０に固定されると共に、その上端が可動ベース４１の回転軸受入座４４に挿しこんでいる回転軸４２と、その上端が第２の排出管６２を介して腰掛便器２と連通すると共に、回転軸４２の管内を経由して外部と連通して排泄物を排出する排出パイプ６３と、その両端がそれぞれ男性用小便器１と、第２の排出管６２と連通していて、排泄物を第２の排出管６２及び排出パイプ６３を経由して排出する第１の排出管６１と、回転軸４２を軸心として、可動ベース４１を設置座４０に対して回転させることによって、腰掛便器２と男性用小便器１の位置を交換させることができる回転手段５と、回転手段５に動力を提供する駆動手段７と、駆動手段７のＯＮ／ＯＦＦ及び回転方向を制御する制御手段８とを更に有している。
【００２２】
ちなみに、この実施形態では、貯水タンクに水を補充する供水パイプ３３と、駆動手段７や制御手段８に電力や制御信号を提供する電気ケーブル４３は、排出パイプ６３と同じく回転軸４２の管内を経由してそれぞれ貯水タンク３と駆動手段７や制御手段８に連通または接続するようになっている。
【００２３】
更に、回転軸４２の可動ベース４１の回転軸受入座４４に挿入する上端部の外周面と回転軸受入座４４の内壁面の間に、ボールベアリング４２４が介設されている。
【００２４】
回転手段５及び駆動手段７については、図３、図４をも参照して説明する。図３、図４はこの実施形態における回転手段５及び駆動手段７の構成及び動作の様子を示す略示横断面図である。
【００２５】
この実施形態において、駆動手段７としてのモータ７１は可動ベース４１に固定されており、回転手段５は、回転軸４２の外周面からフランジ状に張り出して形成される固定歯車５１と、固定歯車５１と噛み合うと共に、モータ７１により回転駆動される駆動歯車５２とを用いて、駆動歯車５２と駆動手段７とともに可動ベース４１を回転させて腰掛便器２と男性用小便器１の位置を交換させることができる。
【００２６】
制御手段８は、モータ７１を制御する制御回路８１と、ユーザインターフェイスとしての操作パネル８２と、駆動手段７及び回転手段５により駆動されて回転する可動ベース４１を正確な位置に停止させるため、可動ベース４１の位置を検知するセンサー８３とからなる。制御回路８１はモータ７１と電気的に接続し、モータ７１の隣りに配置されている。操作パネル８２には電気ケーブル４３を経由して制御回路８１と電気的に接続している二つのボタンを有し、その設置位置は操作する利便性最優先とし、例えば壁など手が届きやすい場所に配置することができる。センサー８３について、この実施形態では、作動されると駆動手段７を停止させるよう、制御回路８１に停止信号を出力するスイッチ８３１、８３２を、図３、図４に示すように、腰掛便器２と男性用小便器１の位置に対応して、回転軸４２を間に挟むように回転軸４２の両側に一つずつ設置座４０に固定し、そして、可動ベース４１と共に回転するよう、駆動歯車５２の隣りに固定し、且つ２つのスイッチ８３１、８３２のいずれかに接近すると該スイッチ８３１または８３２を作動させる作動部８３３を設ける。
【００２７】
更に、この実施形態において、固定歯車５１を外周面のほぼ半分だけ駆動歯車５２と噛み合う歯５１１を形成し、その他は歯を形成されていないセクタ歯車で構成する。
【００２８】
図３に示す状態において、制御回路８１が操作パネル８２からユーザーによる制御命令を受けると、モータ７１に通電して駆動歯車５２を時計方向に回転駆動させる。すると、駆動歯車５２は時計方向に沿って固定歯車５１の半分だけ形成される歯５１１と噛み合って回り、図４に示す位置に到達すると、作動部８３３が図中左側にあるスイッチ８３２に接近して作動させ、スイッチ８３２は停止信号を制御回路８１に出力し、停止信号を受けた制御回路８１はモータ７１を停止させる。また、図４に示す状態において、制御回路８１が操作パネル８２からユーザーによる制御命令を受けると、制御回路８１は逆にモータ７１に通電して駆動歯車５２を反時計方向に回転駆動させる。すると、駆動歯車５２は反時計方向に沿って固定歯車５１の半分だけ形成される歯５１１と噛み合って回って図３に示す位置に戻ると、作動部８３３が図中右側にあるスイッチ８３１に接近して作動させ、スイッチ８３１は停止信号を制御回路８１に出力し、停止信号を受けた制御回路８１はモータ７１を停止させる。
【００２９】
図５、図６はこの実施形態の便座装置の男性用小便器１及び腰掛便器２の位置が回転手段５により変えられる様子を示す説明図である。上記のように構成された本発明の第１の実施形態の便座装置は、例えば通常時は図５に示すように、男性用小便器１が壁の中に隠していて反対側にある腰掛便器２が露出して使用しやすい位置にあり、そして、操作パネル８２を介して駆動手段７に制御命令を下すと、駆動手段７は回転手段５を介して可動ベース４１を回転させ、男性用小便器１と腰掛便器２の位置を交換させて図６に示すように、男性用小便器１を露出させて使用しやすい位置に移動することができる。更に操作パネル８２を操作すると、また図５に示す状態に戻すことができる。
【００３０】
また、図７は貯水タンク３の一部断面を示す要部縦断面図である。図７に示すように、貯水タンク３の男性用小便器１が取り付けられる一側の壁に、タンク内に貯蔵される水を男性用小便器１に注ぐため、貯水タンク３の壁の内外を連通させる注水孔３０１と、注水孔３０１の開閉を制御するバルブ３１と、該バルブ３１を操作するリンク機構３２とを有している。バルブ３１は注水孔３０１を塞ぐことができるバルブ体３１１と、その両端がそれぞれ貯水タンク３の注水孔３０１周縁の内壁とバルブ体３１１に固定される引張りコイルばね３１２とからなり、リンク機構３２は、その一端が操作端３２１ａとして貯水タンク３の外に露出し、その他端が作動端３２１ｂとして貯水タンク３のタンク内に挿入している第１のリンク３２１と、その両端がそれぞれ第１のリンク３２１の作動端３２１ｂと、バルブ体３１１に回転自在に枢設されている第２のリンク３２２とからなる。
【００３１】
このように構成することによって、第１のリンク３２１の操作端３２１ａが貯水タンク３の内側に押し込まれると、バルブ体３１１は引張りコイルばね３１２を引き伸ばすと共に、注水孔３０１から引き抜かれ、貯水タンク３の壁の内外を連通させてタンク内に貯蔵される水を男性用小便器１に注ぐことができる。そして、第１のリンク３２１の操作端３２１ａが元の位置に戻されると、バルブ体３１１は引張りコイルばね３１２による回復力によって、再び注水孔３０１を塞ぐようになる。
【００３２】
次いで、図８〜図１０を用いて、本発明の便座装置の第２の実施形態について説明する。
本発明の便座装置の第２の実施形態については、設置座４０、貯水タンク３、男性用小便器１、腰掛便器２、回転軸受入座４４、回転軸４２、排出パイプ６３、第１の排出管６１、第２の排出管６２、供水パイプ３３、電気ケーブル４３などの構成はほぼ全て第１の実施形態と同じになっているため、それらに関する説明を省略し、相違点に重点を置いて説明する。
【００３３】
この第２の実施形態では、回転手段５、駆動手段７、制御手段８の構成や設置位置が第１の実施形態と異なっている。図８は回転手段５、駆動手段７、制御手段８の第２の実施形態での構成や設置位置を示す要部縦断面図であり、図９はこの実施形態における回転手段５及び駆動手段７の構成及び動作の様子を示す略示横断面図であり、図１０はこの実施形態の便座装置の男性用小便器１及び腰掛便器２の位置が回転手段５により変えられる様子を示す説明図である。
【００３４】
図示のように、駆動手段７としてのモータ７１と、制御手段８の制御回路８１は設置座に埋設されており、一方、回転手段５は、固定歯車の替わりに、回転軸４２の外側に同心円状に、可動ベース４１に固定配置されている内歯歯車５３を設け、そして駆動歯車５２は内歯歯車５３と噛み合うと共に、駆動手段７により回転駆動される。
【００３５】
このように構成することによって、設置座に埋設固定されている駆動手段７により回転駆動されて固定位置に回転する駆動歯車５２は、図９に示すように、内歯歯車５３との噛み合いに通じて、内歯歯車５３と可動ベース４１を回転させ、図１０に示すように男性用小便器１と腰掛便器２の位置を交換させることができる。
【００３６】
ちなみに、制御回路８１に停止信号を出力するスイッチ８３１、８３２と、可動ベース４１に固定されて共に回転し、スイッチ８３１、８３２のいずれかに接近すると該スイッチ８３１または８３２を作動させる作動部８３３については、図９に示すように、第１の実施形態とほぼ同じ構成になっている。
【産業上の利用可能性】
【００３７】
上記構成によれば、本発明は回転手段によって腰掛便器と男性用小便器を使用しやすい位置に移動する便器を提供することができる。そして、使用しない腰掛便器または男性用小便器を壁の中などに隠し、使用したいときだけ回転手段を利用して使用しやすい位置に移動するように構成すれば、衛生面が優れた上、よりすっきりした便器及びトイレを提供することができる。
【図面の簡単な説明】
【００３８】
【図１】本発明の第１の実施形態の外観を示す斜視図。
【図２】同実施形態の内部構成を示す透視図。
【図３】同実施形態における回転手段及び駆動手段の構成及び動作の様子を示す略示横断面図。
【図４】同実施形態における回転手段及び駆動手段の構成及び動作の様子を示す略示横断面図。
【図５】同実施形態の便座装置の男性用小便器及び腰掛便器の位置が回転手段により変えられる様子を示す説明図。
【図６】同実施形態の便座装置の男性用小便器及び腰掛便器の位置が回転手段により変えられる様子を示す説明図。
【図７】同実施形態の貯水タンクの一部断面を示す要部縦断面図。
【図８】本発明の第２の実施形態における回転手段、駆動手段、制御手段の構成や設置位置を示す要部縦断面図。
【図９】同実施形態における回転手段及び駆動手段の構成及び動作の様子を示す略示横断面図。
【図１０】同実施形態の便座装置の男性用小便器及び腰掛便器の位置が回転手段により変えられる様子を示す説明図。
【図１１】従来の腰掛便器と男性用小便器を一体化した便器の一例の構成を示す斜視図。
【符号の説明】
【００３９】
１  男性用小便器
２  腰掛便器
３  貯水タンク
３０１  注水孔
３１  バルブ
３１１  バルブ体
３１２  引張りコイルばね
３２  リンク機構
３２１  第１のリンク
３２１ａ  操作端
３２１ｂ  作動端
３２２  第２のリンク
３３  供水パイプ
４０  設置座
４１  可動ベース
４１１  貫通孔
４２  回転軸
４２４  ボールベアリング
４３  電気ケーブル
４４  回転軸受入座
５  回転手段
５１  固定歯車
５１１  歯
５２  駆動歯車
５３  内歯歯車
６１  第１の排出管
６２  第２の排出管
６３  排出パイプ
７  駆動手段
７１  モータ
８  制御手段
８１  制御回路
８２  操作パネル
８３  センサー
８３１、８３２  スイッチ
８３３  作動部
【図１】
2008196300.tif 000003
【図２】
2008196300.tif 000004
【図３】
2008196300.tif 000005
【図４】
2008196300.tif 000006
【図５】
2008196300.tif 000007
【図６】
2008196300.tif 000008
【図７】
2008196300.tif 000009
【図８】
2008196300.tif 000010
【図９】
2008196300.tif 000011
【図１０】
2008196300.tif 000012
【図１１】
2008196300.tif 000013